(57)【要約】【課題】  ユーザが操作をした履歴が一目瞭然であり、一連の操作設定をした内容を把握することができるとともに、目的の操作キーを容易に選択することができる。【解決手段】  ＬＣＤタッチパネル部１０が、操作キーの配置が各階層で固定されて表示される基本設定画面と、操作キーが選択されたことを示す操作履歴が表示される操作履歴画面を有し、基本設定画面又は操作履歴画面で操作キーが選択されたとき、どの操作キーが選択されたかを判定する選択キー使用判定部３１と、選択キー使用判定部３１によって判定された結果を操作履歴情報として揮発性メモリ部３３１に順次格納する記憶処理部３５と、揮発性メモリ部３３１に格納されている操作履歴情報を、操作履歴画面へ表示する選択キー使用履歴表示制御部３２とを備える構成としてある。【選択図】      図２
2010086146.tif 000002
【特許請求の範囲】
【請求項１】
選択されることにより所定の処理を実行させる操作キーと、
選択された前記操作キーに基づいて操作画面を階層的に切替可能で前記操作キーの配置が各階層で固定されて表示される第一表示操作領域と、前記操作キーが選択されたことを示す操作履歴が表示される第二表示操作領域を有する操作パネルと、
前記第一表示操作領域又は前記第二表示操作領域で前記操作キーが選択されたとき、どの操作キーが選択されたかを判定する選択キー使用判定部と、
前記選択キー使用判定部によって判定された結果を操作履歴情報として記憶媒体に順次格納する記憶処理部と、
前記記憶媒体に格納されている前記操作履歴情報を、前記第二表示操作領域へ表示する選択キー使用履歴表示制御部と、
を備えたことを特徴とする入力表示装置。
【請求項２】
前記選択キー使用履歴表示制御部は、ユーザによって選択された操作キーの順番に応じて表示を行うことを特徴とする請求項１記載の入力表示装置。
【請求項３】
前記記憶媒体に格納されている前記操作履歴情報のうち、所定の条件を備えた操作履歴情報を抽出する履歴処理部を有し、
前記選択キー使用履歴表示制御部が、当該履歴処理部により抽出された操作履歴情報を、前記第二表示操作領域に表示することを特徴とする請求項１又は２に記載の入力表示装置。
【請求項４】
前記履歴処理部が、前記第一表示操作領域において前記操作キーが選択されると、当該操作キーに係る操作履歴情報を前記記憶媒体から抽出することを特徴とする請求項３記載の入力表示装置。
【請求項５】
前記第二表示操作領域において前記操作キーが選択されると、当該操作キーが属する階層の操作画面を前記第一表示操作領域に表示させる切替表示制御部を備えることを特徴とする請求項１〜４のいずれかに記載の入力表示装置。
【請求項６】
所定の処理を実行させる入力装置と、
前記入力装置が受け付けた操作に応じて、前記所定の処理を実行する処理実行部とを備え、
前記入力装置が、請求項１〜５のいずれかに記載の入力表示装置を含むことを特徴とする電子機器。
【請求項７】
入力表示装置を構成するコンピュータを、
選択されることにより所定の処理を実行させる操作キーと、
選択された前記操作キーに基づいて操作画面を階層的に切替可能で前記操作キーの配置が各階層で固定されて表示される第一表示操作領域と、前記操作キーが選択されたことを示す操作履歴が表示される第二表示操作領域を有する操作パネルと、
前記第一表示操作領域又は前記第二表示操作領域で前記操作キーが選択されたとき、どの操作キーが選択されたかを判定する選択キー使用判定部と、
前記選択キー使用判定部によって判定された結果を操作履歴情報として記憶媒体に順次格納する記憶処理部と、
前記記憶媒体に格納されている前記操作履歴情報を、前記第二表示操作領域へ表示する選択キー使用履歴表示制御部
として機能させるための入力表示プログラム。
【発明の詳細な説明】
【技術分野】
【０００１】
本発明は、入力表示装置、電子機器及び入力表示プログラムに関し、特に、操作キーの選択に応じて操作履歴を表示する入力表示装置、電子機器及び入力表示プログラムに関する。
【背景技術】
【０００２】
従来、画像形成装置等に備えられるタッチパネルは、図１３に示すように、シート（タブ）上に操作キーが配置されており、ユーザは、目的のシートを選択するとともに、必要な操作キーを選択することによって目的の処理を実行させることができる。
ここで、各操作キーは、関連する操作キーがプログラム上、階層的に配置されており、上位層の操作キーで選択された機能に対して、下位層の操作キーで詳細を操作する構成としてあり、ユーザは、目的となる処理の設定が終わるまで段階的に操作キーを繰り返して操作する必要がある。
【０００３】
このため、目的となる処理の内容によっては、その一つの処理の設定のために何度も操作キーを選択しなければならない場合があり、ユーザにとっては煩わしい場合があった。
特に、ユーザが頻繁に使用する操作キーが下位層にある場合には、より手間と時間を要することとなるため、使いづらいものとなっていた。
そこで、このような問題を解消するべく、例えば、特許文献１には、使用頻度の高い操作キーを所定位置に自動的にレイアウト変更することが可能なタッチパネル装置が提案されている。これによって、使用頻度の高い操作キーを選択する場合には手間が軽減される。
【０００４】
【特許文献１】特開平８−２６３２１０号公報
【発明の開示】
【発明が解決しようとする課題】
【０００５】
しかしながら、特許文献１に記載の技術では、使用頻度の高い操作キーを自動的にレイアウト変更し、ダイレクトキーとして画面上に表示するようにしているが、以前操作キーが配置されていたレイアウトが変更されることで、目的の操作キーの表示箇所を見失ってしまう場合があり、非効率であるとともに、ユーザの混乱をまねくことがあった。
また、操作キーを続けて選択して設定を行った場合、どのような操作設定を行ったかを確認することができず、さらに、前に選択した操作を訂正したい場合に目的の操作キーを見つけにくいといった問題があった。
【０００６】
本発明は、上記のような従来の技術に鑑みて提案されたものであり、タッチパネル上に操作履歴画面を追加することによって、操作履歴を一目瞭然とすることができ、さらに、目的の操作キーを容易に見つけることができる利便性の高い入力表示装置、電子機器及び入力表示プログラムの提供を目的とする。
【課題を解決するための手段】
【０００７】
上記目的を達成するため、本発明の入力表示装置は、選択されることにより所定の処理を実行させる操作キーと、選択された操作キーに基づいて操作画面を階層的に切替可能で操作キーの配置が各階層で固定されて表示される第一表示操作領域と、操作キーが選択されたことを示す操作履歴が表示される第二表示操作領域を有する操作パネルと、第一表示操作領域又は第二表示操作領域で操作キーが選択されたとき、どの操作キーが選択されたかを判定する選択キー使用判定部と、選択キー使用判定部によって判定された結果を操作履歴情報として記憶媒体に順次格納する記憶処理部と、記憶媒体に格納されている操作履歴情報を、第二表示操作領域へ表示する選択キー使用履歴表示制御部とを備える構成としてある。
【０００８】
このような構成からなる入力表示装置によれば、記憶処理部によって記憶媒体に格納された操作履歴情報を選択キー使用履歴表示制御部が、操作パネル上に設けた操作履歴を表示する画面（操作履歴画面）へ表示するため、ユーザが選択した操作の履歴が一目瞭然となり、操作設定した一連の内容を容易に認識することができる。さらに、ユーザがこの表示された操作履歴を認識することによって、訂正したい箇所に対応する目的の操作キーを容易に選択することができ、利便性が高く、ユーザの負担を軽減することができる。
【０００９】
また、本発明の入力表示装置は、選択キー使用履歴表示制御部は、ユーザによって選択された操作キーの順番に応じて表示を行う構成としてもよい。
【００１０】
このような構成からなる入力表示装置によれば、ユーザが操作キーを選択した順番に応じて操作履歴が表示されるため、一連の操作過程を容易に把握できる。
【００１１】
また、本発明の入力表示装置は、記憶媒体に格納されている操作履歴情報のうち、所定の条件を備えた操作履歴情報を抽出する履歴処理部を有し、選択キー使用履歴表示制御部が、履歴処理部により抽出された操作履歴情報を、第二表示操作領域に表示する構成としてもよい。
【００１２】
このような構成からなる入力表示装置によれば、記憶媒体に格納されている操作履歴情報から所定の条件で抽出された操作履歴情報を操作履歴画面に表示する。これによって、操作履歴画面では、必要な操作履歴だけを表示をすることができる。
【００１３】
また、本発明の入力表示装置は、履歴処理部が、第一表示操作領域において操作キーが選択されると、操作キーに係る操作履歴情報を記憶媒体から抽出する構成としてもよい。
【００１４】
このような構成からなる入力表示装置によれば、操作パネル上に設けた装置の基本的な操作設定を行う画面（基本設定画面）から操作キーが選択されたときに、この基本設定画面から操作がされた操作履歴だけを操作履歴画面に表示する。これによって、タッチパネル上の基本設定画面からの操作だけを操作履歴画面に表示することができる。
【００１５】
また、本発明の入力表示装置は、第二表示操作領域において操作キーが選択されると、操作キーが属する階層の操作画面を第一表示操作領域に表示させる切替表示制御部を有する構成としてもよい。
【００１６】
このような構成からなる入力表示装置によれば、操作履歴画面から操作キーが選択されたときに、この操作された操作キーが属する階層に係る操作画面を基本設定画面へ現在の表示から切替えて表示をする。これによって、操作が下位層に及んでいても上位層へ瞬時に画面を切替表示して遷移されるため、無駄な操作を削減することができる。
【００１７】
また、本発明の電子機器は、所定の処理を実行させる入力装置と、入力装置が受け付けた操作に応じて、所定の処理を実行する処理実行部とを備える。更に、入力装置は、上述の入力表示装置を含む構成としてある。
【００１８】
このように本発明は入力表示装置を搭載した電子機器としても実現化できる。例えば、入力表示装置としてタッチパネルを搭載した画像形成装置においては、タッチパネルの操作キーを選択することによって、画像形成に係る各種処理、具体的には、画像形成処理、印刷処理、用紙搬送処理等を指示し、実行させることができる。
これによって、入力手段を必要とする様々な電子機器に利用することができ、汎用性・拡張性に優れた技術的効果を提供することができる。
【００１９】
また、本発明の入力表示プログラムは、入力表示装置を構成するコンピュータを、選択されることにより所定の処理を実行させる操作キーと、選択された操作キーに基づいて操作画面を階層的に切替可能で操作キーの配置が各階層で固定されて表示される第一表示操作領域と、操作キーが選択されたことを示す操作履歴が表示される第二表示操作領域を有する操作パネルと、第一表示操作領域又は第二表示操作領域で操作キーが選択されたとき、どの操作キーが選択されたかを判定する選択キー使用判定部と、選択キー使用判定部によって判定された結果を操作履歴情報として記憶媒体に順次格納する記憶処理部と、記憶媒体に格納されている操作履歴情報を、第二表示操作領域へ表示する選択キー使用履歴表示制御部として機能させるためのプログラムとしてある。
【００２０】
このように本発明はプログラムとしても実現化できる。これによって、いわゆる入力表示装置のみならず入力操作の機能を備えた他の装置に入力表示プログラムをインストールすることによって本発明を実現することが可能となり、汎用性、拡張性に優れた入力表示プログラムとして提供することができる。
【発明の効果】
【００２１】
以上のように、本発明によれば、タッチパネル上に操作履歴画面を追加することによって、自分の操作した履歴が一目瞭然であり、現在の一連の操作設定を把握することができる。また、操作が下位層へ及んでいたとしても、操作履歴画面から操作を行うことで瞬時に上位層へ遷移することができる。
これによって、利便性や操作性に優れた入力表示装置、電子機器及び入力表示プログラムを提供することができる。
【発明を実施するための最良の形態】
【００２２】
以下、本発明の好ましい実施形態について図面を参照して説明する。
本発明の入力表示装置及び電子機器は種々のものに適用できるが、以下に示す実施形態では、入力表示装置としてタッチパネル、電子機器として画像形成装置に適用したものについて説明する。
【００２３】
図１を参照して、本発明に係る入力表示装置の実施形態について説明する。図１は、本発明の実施形態に係る画像形成装置に備えられるタッチパネルの表示画面図である。
【００２４】
タッチパネル１の画面は、基本設定画面２と操作履歴画面３を備え、それぞれ独立して構成されている。
基本設定画面２は、従来のタッチパネル（図１３）とほぼ同様の構成であり、基本的な操作設定を行う操作キー等が固定的に配置された表示領域であり、本発明における第一表示操作領域に相当する。
操作履歴画面３は、基本設定画面２から任意の操作キーの選択に応じて、操作履歴を順次表示させるとともに、操作が可能な表示領域であり、本発明における第二表示操作領域に相当する。
【００２５】
そして、このタッチパネル１が、画像形成装置に搭載されて、入力手段として機能することになる。従って、画像形成装置におけるタッチパネル１からの入力処理に基づいて行われる画像形成処理を実行する構成部分、具体的には、画像形成処理部、印刷処理部、用紙搬送手段、制御手段等が、本発明に係る電子機器の所定処理を実行する処理実行部に相当することになる。
【００２６】
図２は、本発明の実施形態に係るタッチパネルを備えた画像形成装置の概略構成を示すブロック図である。
本実施形態に係るタッチパネル１を備えた画像形成装置４は、ＬＣＤタッチパネル部１０とＬＣＤタッチパネル制御部２０と主制御部３０及び画像形成処理部４０等によって構成されている。
ＬＣＤタッチパネル部１０は、タッチパネル１に設けられたＬＣＤ（Ｌｉｑｕｉｄ  Ｃｒｙｓｔａｌ  Ｄｉｓｐｌａｙ）によって構成されており、このＬＣＤ上に操作キー等の操作に必要な画面（基本設定画面２及び操作履歴画面３を含む。）が表示されるとともに、ユーザがＬＣＤを介して操作を行う入力インタフェースでもある。そして、このＬＣＤタッチパネル部１０が操作されることにより、画像形成処理が実行される。
ＬＣＤタッチパネル制御部２０は、ＬＣＤタッチパネル部１０と主制御部３０とを仲介して処理を行うチップセットである。具体的には、ＬＣＤタッチパネル制御部２０は、ＬＣＤタッチパネル部１０から入力された情報のうち、操作キーが選択された情報を選択キー使用判定部３１に送信する。また、ＬＣＤタッチパネル制御部２０は、選択キー使用履歴表示制御部３２から受信した操作履歴、及び切替表示制御部３４から受信した操作画面をＬＣＤタッチパネル部１０へ表示する。
【００２７】
主制御部３０は、選択キー使用判定部３１、選択キー使用履歴表示制御部３２、選択キー履歴表示処理部３３、切替表示制御部３４及び記憶処理部３５によって構成されている。
選択キー使用判定部３１は、ユーザが選択した操作キーの情報を、ＬＣＤタッチパネル制御部２０を介して受信し、どの画面の、どの操作キーが選択されたかを判定する。
【００２８】
選択キー履歴表示処理部３３は、揮発性メモリ部３３１と履歴処理部３３２によって構成されている。
揮発性メモリ部３３１は、選択キー使用判定部３１で判定された結果を記憶処理部３５によって操作履歴情報として格納される、ＲＡＭ（Ｒａｎｄｏｍ  Ａｃｃｅｓｓ  Ｍｅｍｏｒｙ）等の揮発性の記憶媒体である。また、揮発性メモリ部３３１における具体的な格納方法としては、操作キーが選択された画面と、操作キーに係る操作内容を対応させ、かつ、選択された順に記憶テーブル（データ格納部）３３１１へ格納される。
履歴処理部３３２は、揮発性メモリ部３３１に格納されている操作履歴情報のうち、所定の条件を備えた操作履歴情報を抽出し、選択キー使用履歴表示制御部３２へ送信する。
ここで、所定の条件とは、操作キーが選択された画面と、この操作キーに係る操作内容であり、本実施形態では、基本設定画面２から操作された操作キーの内容、例えば、「Ａ４  普通」、「Ａ４  カラー」、「両面／分割」等のことである。
【００２９】
上述した、記憶テーブル（データ格納部）３３１１に格納されている操作履歴情報は、例えば、各ユーザが印刷処理を完了した場合、ユーザによって一定時間操作キーが選択されなかった場合、あるいは、後述する操作履歴画面３の「閉じる」キーを操作した場合などのタイミングで記憶処理部３５により削除される。また、操作履歴画面３に表示されていた操作履歴はＬＣＤタッチパネル制御部２０によりクリアされる。
【００３０】
選択キー使用履歴表示制御部３２は、選択キー履歴表示処理部３３から受信した操作履歴情報をもとに、ＬＣＤタッチパネル制御部２０を介してＬＣＤタッチパネル部１０に操作履歴を表示させるための処理を行う。具体的には、選択キー使用履歴表示制御部３２は、操作履歴画面３に表示させる操作履歴に対応する操作キーの情報を、ＬＣＤタッチパネル制御部２０へ送信する。そして、ＬＣＤタッチパネル制御部２０は、ＬＣＤタッチパネル部１０上に、操作キーをユーザから選択された順に出力・表示する。
【００３１】
切替表示制御部３４は、操作履歴画面３に表示されている操作キーが選択されたときに、ＬＣＤタッチパネル制御部２０を介して、操作キーが属する階層の操作画面を、現在の基本設定画面２の表示から切替えて表示をするための処理を行う。具体的には、切替表示制御部３４は、基本設定画面２に表示される操作画面の情報をＬＣＤタッチパネル制御部２０へ送信する。そして、ＬＣＤタッチパネル制御部２０は、ＬＣＤタッチパネル部１０上に、選択された操作キーが属する階層の操作画面を表示する。
記憶処理部３５は、揮発性メモリ部３３１の記憶テーブル（データ格納部）３３１１に操作履歴情報を格納する。
選択キー使用判定部３１、選択キー使用履歴表示制御部３２、履歴処理部３３２、切替表示制御部３４及び記憶処理部３５は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）のような半導体チップ（又は半導体チップ内のモジュール）として画像形成装置に設けられる。
【００３２】
画像形成処理部４０は、ＬＣＤタッチパネル部１０が操作されることによって、所定の画像形成処理を実行する処理実行部である。この画像形成処理部４０は、ＬＣＤタッチパネル部１０からの入力に応じて画像形成処理を実行する。具体的には、画像形成処理部４０は、印刷出力する入力データを受け取る入力バッファ、装置全体の動作を制御するＣＰＵ、ＣＰＵの動作を記述したプログラムが格納されたプログラムＲＯＭ、制御コードから取り出された画像データや計算用のデータを格納したデータＲＡＭ、出力用に変換された画像データを最終工程のデータに変換してプリンタエンジンに転送するプリント画像転送部、印刷用紙にプリント画像を印刷するプリンタエンジン、印刷用紙をプリンタエンジンに搬送する用紙搬送部等を備えている。
【００３３】
次に、以上のような構成からなる本実施形態の画像形成装置４におけるタッチパネル１において操作履歴の表示動作について説明する。
図３は、本発明の実施形態に係るタッチパネル１における操作履歴表示処理を示したフローチャートである。
【００３４】
まず、ＬＣＤタッチパネル制御部２０は、タッチパネル１上で操作キーが押されたか否かを判定する（ステップＳ１）。ここで、操作キーが押された場合には（ステップＳ１：ＹＥＳ）、続いて、選択キー使用判定部３１は、選択された操作キーが、どの画面の、どの操作キーかを判定するとともに、この操作キーがリセット操作に係る操作キーであるかを検出する（ステップＳ２）。
次に、選択された操作キーがリセット操作に係る操作キーではないと検出された場合には（ステップＳ２：ＮＯ）、記憶処理部３５は、揮発性メモリ部３３１の記憶テーブル（データ格納部）３３１１へ操作履歴情報を格納する(ステップＳ３)。この操作履歴情報は、例えば、操作がされた画面と操作の内容を対応させ、かつ、ユーザによって選択された順に格納される。
【００３５】
一方、ステップＳ１の結果、操作キーが押されていない場合には（ステップＳ１：ＮＯ）、続いて、前回操作から一定時間が経過したか否かを、図示しない計時部によって判定する(ステップＳ４)。
次に、前回操作から一定時間経過していないと判定された場合には、操作キーが押されるまで待機する(ステップＳ４:ＮＯ)。一方、前回操作から一定時間経過したと判定された場合には(ステップＳ４: ＹＥＳ)、記憶処理部３５は、揮発性メモリ部３３１の記憶テーブル（データ格納部）３３１１に格納されている操作履歴情報を削除する（ステップＳ５）。また、ステップＳ２の結果、選択された操作キーがリセット操作に係る操作キーの場合においても（ステップＳ２：ＹＥＳ）、記憶処理部３５は、記憶テーブル（データ格納部）３３１１に格納されている操作履歴情報を削除する（ステップＳ５）。
【００３６】
続いて、履歴処理部３３２は、記憶テーブル（データ格納部）３３１１に格納されている操作履歴情報のうち、基本設定画面２から操作された操作履歴情報を抽出するとともに、選択キー使用履歴表示制御部３２へ送信する。そして、選択キー使用履歴表示制御部３２は、受信した操作履歴情報に対応する操作キーの情報を、ＬＣＤタッチパネル制御部２０へ送信する。次いで、ＬＣＤタッチパネル制御部２０は、操作履歴に対応する操作キーを操作履歴画面３に表示し、表示内容が更新される(ステップＳ６)。
以上のステップＳ１〜ステップＳ６の操作は、一操作の手順であり、続けて操作キーを選択して操作設定を行う場合は、これらの操作が繰り返されて操作履歴の表示がその都度行われることになる。
【００３７】
次に、具体例を用いた詳細なタッチパネルの操作手順について図４〜図８を参照して説明する。
以下の具体例では、原稿を「両面複写（両面／分割）」（片面→両面）、仕上がりを「左／右とじ」、原稿のセットした向きを「奥向き」、排紙を「手差し」として画像形成出力する場合の例を示して説明する。
図４〜図８は、操作履歴が表示される場合の画面遷移を説明するための表示画面図である。
【００３８】
図４に示すように、ユーザがタッチパネル１に対して何も操作を行っていない状態（初期状態）では、タッチパネル１は基本設定画面２を構成する操作キーだけが表示されており、操作履歴画面３は表示がされていない。この状態は、基本設定画面２の操作キーが選択されるまで維持される。
【００３９】
この初期状態から、図５に示すように、ユーザは目的の処理を実行させるために、ＬＣＤタッチパネル部１０の基本設定画面２の「手差し  普通」を選択する。
操作がされると、ＬＣＤタッチパネル制御部２０を介して主制御部３０に操作信号が入力され、選択キー使用判定部３１により、基本設定画面２の「手差し  普通」キーを操作したことが判定される。
そして、揮発性メモリ部３３１の記憶テーブル（データ格納部）３３１１へ、選択された「手差し  普通」キーに係る情報が操作履歴情報として記憶処理部３５によって格納される。次に、記憶テーブル（データ格納部）３３１１に格納されている操作履歴情報から抽出した操作履歴情報が選択キー使用履歴表示制御部によって、ＬＣＤタッチパネル制御部２０を介して、操作履歴画面３へ「手差し  普通」の操作履歴として表示される。なお、表示される操作履歴の数としては、予め任意の値を設定できるものであり、ユーザが所望の表示数を設定・変更することができる。
【００４０】
続いて、図６に示すように、基本設定画面２の「画面／分割」を選択すると、選択キー使用判定部３１によって、基本設定画面２の「画面／分割」キーを操作したことが判定され、上述したように操作履歴画面３へ「画面／分割」の操作履歴が表示される。このとき、図７に示すように、操作キーが選択されることで階層が下がり、基本設定画面２には「両面／片面」画面が表示される。
次に、ユーザは、基本設定画面２の「片→両」を選択すると、選択キー使用判定部３１によって、基本設定画面２の「片→両」キーを操作したことが判定され、操作履歴画面３へ「片→両」の操作履歴が表示される。
【００４１】
次に、図８に示すように、ユーザは、基本設定画面２の「左／右閉じ」、「奥」を順次選択すると、選択キー使用判定部３１によって、基本設定画面２の「左／右閉じ」キーと「奥」キーを操作したことが判定され、操作履歴画面３に「左／右閉じ」と「奥」の操作履歴が順次表示される。
このように、タッチパネル１は、基本設定画面２からは従来と同様な操作キーの表示及び操作ができるとともに、操作履歴画面３によって基本選択画面２から操作を行った一連の操作過程を表示させることができる。そのため、ユーザは従来の画面の配置で操作を行えるだけでなく、ユーザの操作履歴を容易に確認でき、利便性の高い操作を行うことができる。
【００４２】
ここで、本実施形態では、操作履歴画面３に表示される操作履歴は、例えば、最大９個表示されるとし、９個以上の場合には、「戻る」キー、「次へ」キーの操作が有効となり、選択することで画面が遷移されて、全ての操作履歴が確認できる。また、「閉じる」キーを選択することで、上述したように、操作履歴情報が削除されるとともに、操作履歴画面３の操作履歴の表示もリセットされる。
【００４３】
本実施形態によれば、画像形成装置に搭載されたタッチパネルにおいて、操作履歴画面を設けて操作キーの選択に応じた操作履歴を表示する。これによって、ユーザは操作履歴が一目瞭然となり、操作した一連の内容を確認することができる。さらに、目的の操作キーを容易に見つけることができ、使い勝手がよく、ユーザの負担を軽減することができる。
【００４４】
次に、画像形成装置４におけるタッチパネル１の操作履歴画面３から操作の訂正がされた場合の動作について説明する。
図９は、本発明の実施形態に係るタッチパネル１における操作履歴訂正処理を示したフローチャートである。
【００４５】
まず、上述した操作履歴表示処理（ステップＳ１〜ステップＳ６）を行う（ステップＳ１０）。
続いて、選択キー使用判定部３１は、タッチパネル１の操作履歴画面３で操作履歴に係る操作キーが押されたか否かを判定する（ステップＳ１１）。操作キーが押されたと判定した場合には（ステップＳ１１：ＹＥＳ）、切替表示制御部３４は、ＬＣＤタッチパネル制御部２０を介して、基本設定画面２を現在表示している操作画面から、この選択された操作キーが属する階層の操作画面へ遷移する（ステップＳ１２）。なお、操作履歴画面３で操作キーが押されていないと判定した場合には（ステップＳ１１：ＮＯ）、処理を終了する。
【００４６】
次に、具体例を用いた詳細なタッチパネルの操作手順について図１０〜図１２を参照して説明する。
以下の具体例では、上記の操作履歴表示処理で説明した操作手順を行った後に、前回操作で選択した「両面複写（両面／分割）」を「表紙付け」へ訂正する場合の例を示して説明する。
図１０〜図１２は、前操作を訂正する場合の画面遷移を説明するための表示画面図である。
【００４７】
図１０に示すように、操作履歴表示処理と同様の操作手順を行った状態から、ユーザは操作履歴画面３から操作を訂正する「両面／分割」を選択する。このとき、基本設定画面２には、選択された「両面／分割」キーが属する階層の操作画面が、切替表示制御部３４によって、ＬＣＤタッチパネル制御部２０を介して、現在の操作画面から切替えて表示される。したがって、図１１に示すように、基本設定画面２には当初「両面／分割」を選択したときの操作画面が表示される。
これによって、順番に階層をたどる必要がなく、画面が切替表示されるため、無駄な操作を削減することができる。
【００４８】
次に、図１２に示すように、ユーザは、基本設定画面２から前操作を訂正するため「表紙付け」キーを選択する。そして、選択キー使用判定部３１によって、基本設定画面２の「表紙付け」キーを操作したことが判定され、操作履歴情報として記憶処理部３５によって、記憶テーブル（データ格納部）３３１１へ格納される。それとともに、図１２に示すように、操作履歴画面３に「表紙付け」の操作履歴が表示される。
このとき、操作履歴画面３では「画面／分割」〜「奥」の操作履歴がグレーアウト表示される。これは、画面から消去してしまうのではなく、ユーザが前回操作でどの操作キーを選択し、操作の過程を把握できる。さらに、前回操作を訂正したことを視覚的に認識することができる。
【００４９】
以降の操作については、上述の操作手順と同様に基本設定画面２から操作されることで、操作がされる都度、記憶テーブル（データ格納部）３３１１へ、操作履歴情報として格納されるとともに、操作履歴画面３で操作履歴の表示が更新される。
【００５０】
なお、操作履歴画面３に表示される操作履歴は、選択された古い順に操作履歴画面３の左上から順次表示されるようにしているが、選択された新しい順で順次表示してもよい。これによって、ユーザは直近に行った操作ではなく、当初に行った操作を選択したい場合に、「戻る」キー、「次へ」キーを操作することなく容易に操作キーを見つけることができる。
【００５１】
本実施形態によれば、画像形成装置に搭載されたタッチパネルにおいて、タッチパネル上の操作履歴画面から操作キーが選択されたときに、この操作された操作キーが属する階層の操作画面を現在の表示から切替えて基本設定画面へ表示をする。これによって、階層をまたいで画面遷移がされるため、無駄な操作を削減することができる。
【００５２】
次に、タッチパネルを備えた画像形成装置の入力表示プログラムについて説明する。
本発明は、上述した実施形態の機能を実現する入力表示プログラムを記憶した記憶媒体を画像形成装置に供給し、その画像形成装置のコンピュータ(ＣＰＵやＭＰＵ等を含む制御要素)が記憶媒体に格納されたプログラムコードを読み出し、実行することによって達成される。したがって、本発明の各構成部の機能は、ソフトウエアである入力表示プログラムとハードウエア資源であるコンピュータ（画像形成装置）とが協働することにより実現される。
【００５３】
入力表示プログラムを記録した記録媒体としては、例えば、磁気ディスク、光ディスク、ＲＯＭ等の半導体メモリ、その他画像形成装置で読み取り可能な任意の手段を使用することができる。また、記録媒体に記録された画像形成装置の入力表示プログラムは、記録媒体を直接画像形成装置に装着して当該画像形成装置に読み込ませることができ、また、通信回線を介しダウンロードし、画像形成装置に読み込ませるようにしてもよい。
【００５４】
以上、本発明の入力表示装置、電子機器及び入力表示プログラムについて好ましい実施形態を示して説明したが、本発明にかかる装置は、上述した実施形態にのみ限定されるものではなく、本発明の範囲で種々の変更実施が可能であることは言うまでもない。
例えば、本発明の入力表示装置は、タッチパネルに限られず、操作キーが選択されることで、操作履歴が独立して構成される画面上で表示可能である入力表示装置であれば、どのような構成としてもよい。
【００５５】
また、上述した実施形態においては、画像形成装置に限らず、その他電子機器に搭載し又は接続することによっても適用できる。すなわち、所定の処理を実行させる入力装置と所定の処理を実行する処理実行部とを備える電子機器であれば、どのような機器、装置であっても、本発明の入力表示装置（タッチパネル）を入力装置として搭載させることにより、優れた操作性や利便性を提供することができる。
【産業上の利用可能性】
【００５６】
本発明は、タッチパネル等の入力表示装置を備え、操作の履歴を表示することのできる、プリンタ、ファクシミリ、コピー機、複合機等の画像形成装置、ビデオレコーダ、テレビ受信機、エアコン（エアコンディショナー）等の家電製品、携帯電話、携帯型メディアプレーヤ等の携帯型情報機器、ＡＴＭ（Ａｕｔｏｍａｔｅｄ  Ｔｅｌｌｅｒ  Ｍａｃｈｉｎｅ）、コンビニ端末等の据置型情報端末、その他の装置、電子機器に利用が可能である。
【図面の簡単な説明】
【００５７】
【図１】本発明の実施形態に係る画像形成装置に備えられるタッチパネルの表示画面図である。
【図２】本発明の実施形態に係るタッチパネルを備えた画像形成装置の概略構成を示すブロック図である。
【図３】本発明の実施形態に係るタッチパネル１における操作履歴表示処理を示したフローチャートである。
【図４】本発明の実施形態に係る操作履歴が表示される場合の画面遷移を説明するための第一の表示画面図である。
【図５】本発明の実施形態に係る操作履歴が表示される場合の画面遷移を説明するための第二の表示画面図である。
【図６】本発明の実施形態に係る操作履歴が表示される場合の画面遷移を説明するための第三の表示画面図である。
【図７】本発明の実施形態に係る操作履歴が表示される場合の画面遷移を説明するための第四の表示画面図である。
【図８】本発明の実施形態に係る操作履歴が表示される場合の画面遷移を説明するための第五の表示画面図である。
【図９】本発明の実施形態に係るタッチパネル１において操作履歴訂正処理を示したフローチャートである。
【図１０】本発明の実施形態に係る前操作を訂正する場合の画面遷移を説明するための第一の表示画面図である。
【図１１】本発明の実施形態に係る前操作を訂正する場合の画面遷移を説明するための第二の表示画面図である。
【図１２】本発明の実施形態に係る前操作を訂正する場合の画面遷移を説明するための第三の表示画面図である。
【図１３】従来の入力表示装置を表す表示画面図である。
【符号の説明】
【００５８】
１        タッチパネル
２        基本設定画面
３        操作履歴画面
４        画像形成装置
１０      ＬＣＤタッチパネル部
２０      ＬＣＤタッチパネル制御部
３０      主制御部
３１      選択キー使用判定部
３２      選択キー使用履歴表示制御部
３３      選択キー履歴表示処理部
３３１    揮発性メモリ部
３３１１  記憶テーブル（データ格納部）
３３２    履歴処理部
３４      切替表示制御部
３５      記憶処理部
４０      画像形成処理部
【図１】
2010086146.tif 000003
【図２】
2010086146.tif 000004
【図３】
2010086146.tif 000005
【図４】
2010086146.tif 000006
【図５】
2010086146.tif 000007
【図６】
2010086146.tif 000008
【図７】
2010086146.tif 000009
【図８】
2010086146.tif 000010
【図９】
2010086146.tif 000011
【図１０】
2010086146.tif 000012
【図１１】
2010086146.tif 000013
【図１２】
2010086146.tif 000014
【図１３】
2010086146.tif 000015